(57)【要約】    【課題】  縦型電気掃除機において、吸込口体を使用した通常の使用態様の他、延長管を用いた使用態様およびホースを用いた使用態様を選択的に採ることができ、しかも、その使用態様を切り替える操作の際に、大きな姿勢の変化を強いることがないものとする。    【解決手段】  電動送風機１２およびダストカップ１１を具備した本体１０と、この本体１０に連結された床ブラシ２０と、ハンドル３０とを有するとともに、一方の端部４１が、本体１０に接続されてダストカップ１１に連通する風路を形成するホース４０と、一方の端部５０ｂがハンドル３０に接続されるとともに床ブラシ２０に連通する風路を形成する延長管５０とを備え、ホース４０の他方の端部４２がハンドル３０に対して、着脱管４３により、着脱可能に取り付けられる。【選択図】            図1
2005087508.tif 000002
【特許請求の範囲】
【請求項１】
電動送風機および集塵室を具備した本体と、この本体に連結された吸込口体と、握り管とを有するとともに、一方の端部が、前記本体に接続されて前記集塵室に連通する風路を形成するホースと、一方の端部が前記握り管に接続され、他方の端部が前記本体と着脱可能に接続されて前記吸込口体に連通する風路を形成する延長管とを備え、前記ホースの他方の端部が前記握り管に着脱可能に取り付けられ、該ホースが前記握り管に装着された状態においては、前記ホースの風路と前記延長管の風路とが前記握り管を介して連通することを特徴とする縦型電気掃除機。
【請求項２】
前記延長管は、その軸方向に伸縮可能に形成されていることを特徴とする請求項１に記載の縦型電気掃除機。
【請求項３】
前記延長管の前記吸込口体側端部または前記ホースの前記他方の側の端部に、ブラシを設けたことを特徴とする請求項１または２に記載の縦型電気掃除機。
【発明の詳細な説明】
【技術分野】
【０００１】
本発明は、縦型電気掃除機に関し、詳細には、ホースや延長管の配管の改良に関するものである。
【背景技術】
【０００２】
従来より、いわゆるアップライトタイプと称される縦型の電気掃除機が知られており、例えば、集塵室および電動送風機を具備した掃除機本体の下側端部に吸込口体が一体的に連結され、一方、本体の上側には着脱可能のスティック状のハンドルが設けられ、本体の上部寄りの部分から下方に向けて可撓性のホースが延出し、このホースの下端部が吸込口体に着脱可能に接続されたものが提案されている（特許文献１）。
【０００３】
そして、この縦型電気掃除機によれば、吸込口体による通常の使用の他、ホースの下端部を吸込口体から取り外して、隙間ノズルを兼ねるハンドルの一部に接続することができ、本体から取り外されて自由に振ることができる隙間ノズル（ハンドル）を操作して、狭い隙間等を効果的に掃除することができる。さらに、吸込口体から取り外したホースを、ハンドルに接続することなく、そのまま使用することもできる（特許文献１）。
【０００４】
また、縦型電気掃除機において、ハンドルの下端部に延長管を着脱可能に連結するとともに、この延長管の下端部を吸込口体に着脱可能に連結し、さらにハンドルの一部に、本体の上部から延出した可撓性のホースを接続した技術が提案されている（特許文献２）。
【０００５】
さらに、本体の中間部付近からホースが延出し、このホースの端部には延長管が取り付けられ、延長管の他方の端部は、本体の下方に設けられた吸込口体に着脱可能に取り付けられ、また本体には、スティック状のハンドルが設けられた縦型電気掃除機が提案されている（特許文献３）。
【０００６】
また、キャニスタータイプの電気掃除機の吸込口体の上方にこの掃除機本体を立てるように配置し、吸込口体と本体とを連結することによって、アップライトタイプとしても使用することができる電気掃除機が提案されている（特許文献４）。
【特許文献１】特開平５−３４４９３８号公報
【特許文献２】特開平１０−５１５５号公報
【特許文献３】特許第３１４４３０９号公報
【特許文献４】特開平１１−１０４０４４号公報
【発明の開示】
【発明が解決しようとする課題】
【０００７】
しかし、特許文献１に開示された縦型電気掃除機は、ホースが吸込口体に連結されているため、ホースを吸込口体から脱着する操作は、腰を屈める等の姿勢をとって足元付近で行わなければならず、操作性の向上が望まれている。
【０００８】
この点は、特許文献３，４のものも同様であり、さらに、吸込口体から取り外された延長管を用いて、棚等の上面を掃除する際は、吸込口は延長管の先端部にあるのに対して、この延長管の他端部側を把持すると、手元から離れた清掃対象位置に狙いを定めるのが難しく、一方、延長管の先端部近傍を把持すると、把持した部分よりも後方の延長管の部分やこの延長管に連なるホースの重量によって、把持した手に大きなモーメントが作用し、支持しながらの操作が困難になるという問題がある。特に、比較的高い位置の上面を清掃対象とするときは、延長管の先端近傍を把持せざるを得ない。
【０００９】
なお、特許文献４のものは、アップライトタイプとしたとき、吸込口体と本体とが、フックで引っ掛かっているだけであるため、延長管を吸込口体との連結部分で切り離す操作の際等、反動で本体等が倒れると本体と吸込口体とのフックの係合が容易に外れてしまい、使い勝手が悪くなる虞もある。
【００１０】
また、特許文献２に開示された縦型電気掃除機は、延長管とハンドルとの連結部についても着脱可能であるため、上述した特許文献１，３，４に記載のものよりは使い勝手が向上しているが、ハンドルとホースとの連結部から、ハンドルと延長管との連結部側の端部までの長さが、延長管の長さと同程度であるため、さらなる使い勝手の向上が望まれている。
【００１１】
なお、特許文献２に記載の縦型電気掃除機は、延長管に連通する吸込口体からの風路が、本体の前面側に配設されているため、電気掃除機全体の重心が後方側に偏っており、重量バランスが悪く、この結果、ハンドル部を支持しながらの使用の際には、電気掃除機が後方に転倒しないように、常に大きな支持力で支えなければならないという問題もある。
【００１２】
本発明は上記事情に鑑みなされたものであり、吸込口体を使用した通常の使用態様の他、延長管を用いた使用態様およびホースを用いた使用態様を選択的に採ることができ、しかも、その使用態様を切り替える操作の際に、腰を屈める等の大きな姿勢の変化を強いることがない縦型電気掃除機を提供することを目的とするものである。
【課題を解決するための手段】
【００１３】
上記課題を解決するため、本発明に係る縦型電気掃除機は本体に連通して風路を形成するホースの一端を、着脱可能に握り管に取り付けたものである。
【００１４】
すなわち、本発明に係る縦型電気掃除機は、電動送風機および集塵室を具備した本体と、この本体に連結された吸込口体と、握り管とを有するとともに、一方の端部が、前記本体に接続されて前記集塵室に連通する風路を形成するホースと、一方の端部が前記握り管に接続され、他方の端部が前記本体と着脱可能に接続されて前記吸込口体に連通する風路を形成する延長管とを備え、前記ホースの他方の端部が前記握り管に着脱可能に取り付けられ、該ホースが前記握り管に装着された状態においては、前記ホースの風路と前記延長管の風路とが前記握り管を介して連通することを特徴とする。
【発明の効果】
【００１５】
本発明に係る縦型電気掃除機によれば、電動送風機および集塵室を具備した本体に連結された吸込口体は、延長管、握り管およびホースを介して集塵室に連通しているため、握り管を把持して、吸込口体から吸引する通常の態様で使用することができ、延長管と吸込口体との連通部分を取り外すことによって、延長管から吸引する態様で使用することができ、さらに、握り管とホースとの取付部でホースを取り外すことによって、ホースから吸引する態様で使用することができる。
【００１６】
そして、ホースはその先端部近傍まで可撓性を有するため、ホースから吸引する使用態様においては、棚等の上面を掃除する際にホースの先端部を把持しても、把持した直後の部分で曲がり、把持した手に大きな曲げモーメントが作用することがなく、延長管の先端部を把持しなければならない従来のものよりも使い勝手を向上させることができる。
【００１７】
なお、ホースの先端部近傍を把持することによって、把持した手元と吸込口が近接するため、清掃対象位置に狙いを定め易い。
【００１８】
また、ホースは、握り管との取付部分で取り外すことができるため、一方の手で握り管を把持しながら、他方の手でホースを握り管から取り外せばよく、使用者はホースの着脱操作を行うために、腰を屈める等姿勢を大きく変化させる必要がなく、操作性を向上させることができる。
【００１９】
さらに、延長管は、握り管を把持したままで、この把持した握り管を例えば上方に引き上げるだけの操作によって、吸込口体から取り外すことができ、使用者は、腰を屈める等姿勢を大きく変化させる必要がなく、操作性を向上させることができる。
【発明を実施するための最良の形態】
【００２０】
以下、本発明に係る縦型電気掃除機の具体的な実施の形態について、図面を用いて説明する。
【００２１】
図１は、本発明の一実施形態に係る縦型電気掃除機（以下、単に掃除機という。）１００を示す斜視図である。図示の掃除機１００は、内部にダストカップ（集塵室）１１と電動送風機１２とを備え、図示上部に持運び用のフック１３および図示後面に孔状のスタンドホルダ１４がそれぞれ形成された掃除機本体（以下、単に本体という。）１０と、本体１０の図示下方に配設され、内部に図示しない回転ブラシが設けられて、本体１０と連結された床ブラシ（吸込口体）２０と、ハンドル（握り管）３０とを有するとともに、一方の端部４１が本体１０の図示上部に接続されてダストカップ１１に連通する風路を形成し、他方の端部４２が着脱管４３を介してハンドル３０の中空管３１に着脱可能に接続される可撓性のホース４０と、一方の端部（図示上側端部）５０ｂがハンドル３０の中空管３１に接続されるとともに、他方の端部（図示下側端部）５０ａが床ブラシ２０から延びた本体１０の接続管２１に着脱可能に接続されて、床ブラシ２０と連通する風路を形成する延長管５０とを備え、ホース４０が中空管３１に接続された状態においては、ホース４０、中空管３１および延長管５０を介して、ダストカップ１１から床ブラシ２０に至るまでの風路が連通する。
【００２２】
ここで、掃除機１００の図示最下部には、一対の車輪２２が設けられているが、この車輪２２は、床ブラシ２０側に設けられていてもよいし、本体１０側に設けられていてもよい。
【００２３】
延長管５０は、下側延長管５１と上側延長管５２とからなり、その長手方向の略中間部において、両延長管５１，５２の重なり長さを調整することによって、延長管５０全体は伸縮可能に形成されている。また、この略中間部には、本体１０の後面に形成されたスタンドホルダ１４に、図示上方から下方に向けて挿入されることにより、本体１０に延長管５０を係止させる下向き鉤状のスタンドストッパ５３が設けられている。
【００２４】
この延長管５０の下側端部５０ａは、テーパによって接続管２１に外側から嵌合するように示しているが、これは後述するように、延長管５０の下側端部５０ａにブラシ６０または７０（図７参照）を設けた構成において、両者５０ａ，２１の嵌合させ易さによるものであり、接続管２１が下側端部５０ａに外側から嵌合するものとしてもよい。
【００２５】
そして、スタンドホルダ１４にスタンドストッパ５３が挿入された状態において、これら下側端部５０ａと接続管２１とが嵌合するように、下側延長管５１の長さが予め設定されている。
【００２６】
図２は、ハンドル３０の中空管３１とホース４０の端部４２とを接続する着脱管４３を拡大して表示した要部斜視図、図３は、この着脱管４３と中空管３１とを分解して表示した分解斜視図である。
【００２７】
ここで、ホース４０の端部４２と着脱管４３とは固着されており、着脱管４３は、筒部４４と操作リング４５とからなり、筒部４４は、中空筒であって、その外周面の軸方向略中間部に、周方向に延びる平行な２本の凸条４４ａ，４４ａが形成されて、両凸条４４ａ，４４ａ間は、操作リング４５を保持する案内溝４４ｂを形成している。
【００２８】
操作リング４５は、周方向の一部が切り欠かれた断面略Ｃ字状を呈し、内径は、筒部４４の案内溝４４ｂの外径よりも僅かに大きく形成され、幅は、案内溝４４ｂの幅よりも僅かに小さく形成されている。
【００２９】
そして、切欠端部４５ｄ，４５ｄには、操作リング４５の曲率中心に向かって突出する爪４５ａ，４５ａがそれぞれ形成されており、操作リング４５の内壁面から突出する各爪４５ａ，４５ａの突出量は、筒部４４の周壁肉厚と略同一に形成されている。
【００３０】
また、操作リング４５の切欠きと対向する内壁面には、曲率中心に向かって突出する係止片４５ｃが形成されている。そして、操作リング４５の内壁面から突出する係止片４５ｃの突出量は、筒部４４の周壁肉厚よりも大きく形成されている。
【００３１】
さらに、操作リング４５の外周面であって、各切欠端部４５ｄ，４５ｄの近傍には、使用者が指を掛けて、操作リング４５を、切欠きの幅（両切欠端部４５ｄ，４５ｄ間の間隔）が広げられる方向に変形させる操作力を効果的に作用させるための指掛部４５ｂ，４５ｂが形成されている。
【００３２】
一方、筒部４４の案内溝４４ｂには、操作リング４５の爪４５ａ，４５ａが遊嵌される爪可動孔４４ｃ，４４ｃと、係止片４５ｃが挿入される矩形孔４４ｄが形成されている。さらに、筒部４４の内壁面には、案内溝４４ｂよりも図示上方に、筒部４４の図示下方側から挿入される中空管３１の上端面３３を当接せしめる円環状のストッパ４４ｅが形成されている。
【００３３】
これに対して、筒部４４の図示下方側から挿入される中空管３１の外周面には、この中空管３１が筒部４４に図示下方側から挿入されて、中空管３１の上端面３３が筒部４４のストッパ４４ｅの下面側に当接した状態において、筒部４４の矩形孔４４ｄを介して筒部４４の外側から突入した係止片４５ｃに係合する条溝３２が形成されている。
【００３４】
なお、この条溝３２の底部には、後述する図４（ｂ）の部分拡大断面図に示す弾性部材３２ａが配設されており、中空管３１の条溝３２の深さ、筒部４４の内外径、操作リング４５の内径、および係止片４５ｃの突出量の集積誤差を、この弾性部材３２ａが半径方向に弾性変形することによって吸収するように構成されている。
【００３５】
次に、本実施形態に係る掃除機１００の作用について説明する。
【００３６】
まず、通常の使用状態、すなわち床ブラシ２０を実際の吸込口として使用する場合には、図６（ａ）に示すように、吸込口体２０と延長管５０とを接続管２１を介して連結し、延長管５０とホース４０とをハンドル３０を介して連結した状態とすればよく、このとき延長管５０は、下側端部５０ａが接続管２１に固定され、スタンドストッパ５３がスタンドホルダ１４に固定されるため、延長管５０は、本体１００と一体的となり、この延長管５０の上側端部５０ｂに連結されたハンドル３０を把持し前後動等操作して、掃除機１００全体を前後動等させることができる。
【００３７】
また、この状態においては、図１に示したダストカップ１１、ホース４０、ハンドル３０（中空管３１）、延長管５０、接続管２１および床ブラシ２０の下面に設けられた吸込口（図示せず）が、連通した１つの風路を形成するため、電動送風機１２が駆動することによって、床ブラシ２０の吸込口から吸い込まれた塵埃は、接続管２１、延長管５０、中空管３１、およびホース４０を通ってダストカップ４１内に集塵される。
【００３８】
なお、電動送風機１２の駆動または停止の切替えは、ハンドル３０に設けられた図示しない手元スイッチによって行うことができる。
【００３９】
次に、高い場所の側面（壁面や壁面に取付けられた空調機の空気取入口等）や、家具と壁面、床面等との間の狭い隙間等を掃除する場合は、図６（ａ）の通常使用状態から、ハンドル３０を把持して上方に引き上げることによって、ハンドル３０と連結された延長管５０がハンドル３０とともに上方に引き上げられ、これによって、延長管５０の略中間部に設けられたスタンドストッパ５３が、本体１０のスタンドホルダ１４から引き抜かれるとともに、延長管５０の下側端部５０ａが接続管２１から引き抜かれ、延長管５０は本体１０との拘束が無くなり、使用者は延長管５０を自在に振ることができる（図６（ｂ）参照）。
【００４０】
このとき、使用者は、腰を屈める等姿勢を大きく変化させることなく、すなわちハンドル３０を上方に引き上げるだけの操作によって、延長管５０を本体１０から取り外すことができる。
【００４１】
そして、この状態においては、ダストカップ１１、ホース４０、ハンドル３０（中空管３１）および延長管５０が、連通した１つの風路を形成するため、電動送風機１２が駆動することによって、延長管５０の下側端部５０ａの端部開口から吸い込まれた塵埃は、延長管５０、中空管３１、およびホース４０を通ってダストカップ４１内に集塵される。
【００４２】
次に、例えば腰の高さ等中間高さ位置以上の場所の手の届く範囲、例えばサイドボードやテレビ受像器の置き台等の特に上面等を掃除する場合は、延長管５０を用いるよりも、取回しが容易なホース４０を吸込口として掃除を行う方が、清掃作業を軽減することができる。
【００４３】
そこで、この場合は、図６（ａ）の通常使用状態から同図（ｃ）に示すように、ハンドル３０に連結されたホース４０を、着脱管４３とともにハンドル３０から取り外すことにより、ダストカップ１およびホース４０（着脱管４３を含む）が連通した１つの風路を形成するため、電動送風機１２が駆動することによって、ホース４０の端部４２に設けられた着脱管４３の端部開口から吸い込まれた塵埃は、ホース４０を通ってダストカップ４１内に集塵される。
【００４４】
ここで、ホース４０をハンドル３０から取り外すための着脱管４３の作用を、図４および図５を参照して説明する。図４（ａ）および図５（ａ）は、いずれも図２におけるＡ−Ａ線断面を示す断面図であり、各図（ｂ）は、それぞれ部分破断斜視図である。
【００４５】
ホース４０とハンドル３０の中空管３１とが連結された状態においては、図４（ｂ）に示すように、着脱管４３を構成する筒部４４に中空管３１が挿入され、中空管３１の上端面３３が筒部４４の内壁面に形成されたストッパ４４ｅの下面に突き当てられている。
【００４６】
一方、筒部４４の外周面に形成された案内溝４４ｂ（図３参照）に、操作リング４５が嵌め合わされ、この操作リング４５の２つの爪４５ｃ，４５ｃは、筒部４４に形成された爪可動孔４４ｃ，４４ｃに遊嵌し、操作リング４５の係止片４５ｃは、筒部４４に形成された矩形孔４４ｄを貫通して、筒部４４に挿入されている中空管３１の外周面に形成された条溝３２に係合している。
【００４７】
このように、操作リング４５の係止片４５ｃと中空管３１の条溝３２とが係合することによって、着脱管４３と中空管３１とは、その軸方向について互いに係止されている。
【００４８】
なお、条溝３２は、中空管３１の全周に亘って連続して形成されているため、着脱管４３と中空管３１とは、任意の角度に相対回転可能となっている。したがって、ホース４０がハンドル３０に対して過度に捻られた状態であっても、中空管３１と着脱管４３との間でその捻れを解消するように着脱管４３が中空管３１に対して回転し、ホース４０の取回しを容易にすることができる。
【００４９】
次に、中空管３１からホースを取り外す作用について、図４，５を参照して説明する。まず、図４（ａ）に示すように、操作リング４５の両指掛部４５ｂ，４５ｂにそれぞれ指を掛ける等して、太矢印方向すなわち両切欠端部４５ｄ，４５ｄ間の間隔を広げる方向に荷重を加えると、操作リング４５は図５（ａ）に示すように、筒部４４に対して位置ずれおよび弾性変形する。なお、この位置ずれおよび弾性変形は、操作リング４５の各爪４５ａ，４５ａが、それぞれ爪可動孔４４ｃ，４４ｃの周方向開口長の範囲で、両切欠端部４５ｄ，４５ｄ間の間隔が広がる方向に変位することによって、許容される。
【００５０】
そして、この位置ずれおよび弾性変形により、操作リング４５の係止片４５ｃの先端（曲率中心方向への先端）は、係合していた中空管３１の条溝３２から抜け出す。
【００５１】
このように、操作リング４５の係止片４５ｃと中空管３１の条溝３２との係合が解除された状態で、着脱管４３を中空管３１に対して図示上方に引き上げると、着脱管４３と中空管３１とが分離され、ホース４０はハンドル３０から取り外される（図６（ｃ））。
【００５２】
以上のようにして、ハンドル３０から取り外されたホース４０の着脱管４３を把持して、この着脱管４３の筒部４４の端部開口から塵埃を吸引することができ、把持した手元と吸込口が極めて近接しているため、清掃対象場所に狙いを定め易い。
【００５３】
また、ホース４０は延長管５０とは異なり可撓性を有するため、着脱管４３を把持して曲げた場合にも、着脱管４３の直後のホース部分で曲がり、ホース４０を延ばした上で、中間位置等比較的高い場所の上面等を掃除する場合にも、延長管５０を用いた場合より取回しが容易となる。
【００５４】
しかも、一方の手でハンドル３０を把持しながら、このハンドル３０と略同一高さ位置で、他方の手によってホース４０の着脱操作を行うことができるため、ホース４０の着脱操作のために、腰を屈める等姿勢を大きく変化させることがなく、着脱操作性を向上させることができる。
【００５５】
なお、上述した説明は、図６（ａ）に示した通常使用状態から、延長管５０を使用した使用状態（図６（ｂ））への移行作用、およびホース４０を使用した使用状態（図６（ｃ））への移行作用であるが、これとは逆に、図６（ｂ）または（ｃ）に示した各使用状態から通常使用状態（図６（ａ））への移行作用は、説明した作用を逆に行えばよい。
【００５６】
また、中空管３１の条溝３２に設けられた弾性部材３２ａは、前述したように、中空管３１の条溝３２の深さ等の集積誤差を吸収するためのものであり、集積誤差が適当な管理範囲にある場合には、必ずしも備える必要はない。
【００５７】
一方、条溝３２と係止片４５ｃとの相対回転を円滑することを目的として、弾性部材３２ａに代えて、フッ素樹脂等からなる摩擦軽減部材を、条溝３２に設けてもよい。
【００５８】
以上、詳細に説明したように、本実施形態に係る縦型電気掃除機１００によれば、電動送風機１２およびダストカップ１１を具備した本体１０と、この本体１０の一方の側に連結された床ブラシ２０と、ハンドル３０とを有するとともに、一方の端部４１が、本体１０のうち床ブラシ２０が連結された側とは反対側の部分に接続されてダストカップ１１に連通する風路を形成するホース４０と、一方の端部５０ｂがハンドル３０に接続され、他方の端部５０ａが接続管２１と着脱可能に接続されて床ブラシ２０に連通する風路を形成する延長管５０とを備え、ホース４０の他方の端部４２がハンドル３０の中空管３１に着脱可能に取り付けられ、ホース４０がハンドル３０の中空管３１に装着された状態においては、ホース４０の風路と延長管５０の風路とがハンドル３０の中空管３１を介して連通することにより、床ブラシ２０から吸引する通常の態様で使用することができ、延長管５０と床ブラシ２０との連通部分を取り外すことによって、延長管５０から吸引する態様で使用することができ、さらに、ハンドル３０とホース４０との取付部でホース４０を取り外すことによって、ホース４０から吸引する態様で使用することができる。
【００５９】
そして、ホース４０はその先端部４２近傍まで可撓性を有するため、ホース４０から吸引する使用態様においては、棚等の上面を掃除する際にホース４０の先端部４２に設けられた着脱管４３を把持しても、把持した直後の部分で曲がり、把持した手に大きな曲げモーメントが作用することがなく、延長管５０の先端部５０ａを把持しなければならない従来のものよりも使い勝手が向上する。なお、ホース４０の先端部４２近傍の着脱管４３を把持することによって、把持した手元と吸い込む口が近接し、清掃対象位置に狙いを定め易い。
【００６０】
また、ホース４０は、ハンドル３０との取付部分で取り外すことができるため、一方の手でハンドル３０を把持しながら、他方の手でホース４０をハンドル３０から取り外せばよく、使用者はホース４０の着脱操作を行うために、腰を屈める等姿勢を大きく変化させる必要がなく、操作性を向上させることができる。
【００６１】
さらに、延長管５０は、ハンドル３０を把持したままで、この把持したハンドル３０を例えば上方に引き上げるだけの操作によって、床ブラシ２０から取り外すことができ、腰を屈める等姿勢を大きく変化させる必要がなく、操作性を向上させることができる。
【００６２】
また、延長管５０が、その軸方向に伸縮可能に形成されていることにより、延長管５０を使用しての清掃範囲を、延長管５０の伸縮量に応じて可変にすることができる。したがって、清掃対象範囲に適切に対応するように、延長管５０の長さを適宜調整することができる。
【００６３】
さらに、本体１０よりも軽量である延長管５０は、本体１０の後面側に配管されるように取り付けられるため、従来のもの（特許文献２に記載された、本体の前面側に延長管が配設された電気掃除機）のように、重量が後方側に偏ることがなく、重量バランスを安定したものとすることができる。
【００６４】
なお、上述した実施形態の縦型電気掃除機１００においては、延長管５０の下側端部５０ａやホース４０の端部（本体１０に接続される側とは反対側の端部）４２に設けられた着脱管４３に、図７（ａ）または（ｂ）に示すブラシ６０または７０を設けるのが好ましい。
【００６５】
ここで、図７（ａ）に示したブラシ６０は、延長管５の下側端部５０ａの外周面または着脱管４３の筒部４４の外周面に形成された軸方向に延びた溝Ｍに、ブラシ６０の内壁面に形成された突起６１が係合して、溝Ｍの範囲でブラシ６０を直線移動可能、かつ溝Ｍの任意の位置で固定される。そして、突起６１を溝Ｍの範囲の図示最上部に位置させたときは、ブラシ６０の毛先が下側端部５０ａの端面や筒部４４の端面から突出しない収納位置（図示において二点鎖線で表す）となり、突起６１を溝Ｍの範囲の図示最下部に位置させたときは、ブラシ６０の毛先が下側端部５０ａの端面や筒部４４の端面から突出した使用位置（図示において実線で表す）とすることができる。
【００６６】
一方、図７（ｂ）に示したブラシ７０は、延長管５の下側端部５０ａの外周面または筒部４４の外周面に形成された軸方向に延びた溝Ｍに、ブラシ７０の内壁面に形成された突起７１が係合して、溝Ｍの範囲でブラシ７０を直線移動および回動可能、かつ溝Ｍの任意の位置で固定される。ここで、ブラシ７０は全周のうち半分程度が切り欠かれた半円柱状に形成されており、この切欠きによって、ブラシ７０は突起７１回りに回動可能となっている。
【００６７】
そして、突起７１を溝Ｍの範囲の図示最上部に位置させるとともに、ブラシ７０の毛先が下側端部５０ａの端面や筒部４４の端面とは反対方向に向くようにブラシ７０を突起７１回りに回転させた位置では、ブラシ７０の収納位置（図示において二点鎖線で表す）となり、ブラシ７０を突起７１回りに１８０度以内の任意の角度だけ回転させるとともに、突起７１を溝Ｍの範囲のうち、回転角度に応じた適当な位置に移動させることにより、ブラシ７０を適当な角度だけ傾けて使用する傾斜使用位置（図示において実線で表す）となり、ブラシ７０の毛先が下側端部５０ａの端面や筒部４４の端面を向くようにブラシ７０を突起７１回りに回転させた位置では、ブラシ７０を図７（ａ）と同様の向きで使用する通常使用位置（図示において一点鎖線で表す）となる。
【００６８】
このようにブラシ６０または７０を設けることにより、単なる吸引だけでは除去できない塵埃についても、ブラシ６０または７０を摺動させながら吸引することによって、塵埃を掻き取って集塵することができる。
【００６９】
さらに、吸込先端部分（延長管５０の下側端部５０ａまたは筒部４４）にブラシ６０または７０を設けることによって、布（カーペット、布団等）や紙（新聞、雑誌等）あるいはビニール等の柔軟性を有する物体と吸込先端部分との間に、ブラシ６０の毛による隙間が形成され、これらの物体が吸込先端部分に密着するのを防止することができ、これらの物体が密着することによって、電動送風機１２に無用な負荷が作用するのを防止することができる。
【図面の簡単な説明】
【００７０】
【図１】本発明に係る縦型電気掃除機の実施形態を示す斜視図である。
【図２】図１に示した縦型電気掃除機のハンドルとホースとの連結部詳細を示す斜視図である。
【図３】図２に示したハンドルとホースの端部との着脱機構を示す分解斜視図である。
【図４】図３に示した着脱機構の着脱作用を説明する図（その１）であって、（ａ）は図２におけるＡ−Ａ線断面を示す断面図、（ｂ）は部分破断斜視図をそれぞれ表す。
【図５】図３に示した着脱機構の着脱作用を説明する図（その２）であって、（ａ）は図２におけるＡ−Ａ線断面を示す断面図、（ｂ）は部分破断斜視図をそれぞれ表す。
【図６】図１に示した実施形態に係る縦型電気掃除機の使用状態を示す図であって、（ａ）は通常使用状態、（ｂ）は延長管と床ブラシとの連結を切り離した使用状態、（ｃ）はホースとハンドルとの連結を切り離した使用状態をそれぞれ表す。
【図７】延長管または着脱管にブラシを取り付ける構造を説明する側面図である。
【符号の説明】
【００７１】
１０    掃除機本体
１１    ダストカップ（集塵室）
１２    電動送風機
１３    フック
１４    スタンドホルダ
２０    床ブラシ（吸込口体）
２１    接続管
２２    車輪
３０    ハンドル（握り管）
３１    中空管
４０    ホース
４１，４２  端部
４３    着脱管
４４    筒部
４５    操作リング
５０    延長管
５０ａ  下側端部
５０ｂ  上側端部
５１    下側延長管
５２    上側延長管
５３    スタンドストッパ
１００  縦型電気掃除機
【図１】
2005087508.tif 000003
【図２】
2005087508.tif 000004
【図３】
2005087508.tif 000005
【図４】
2005087508.tif 000006
【図５】
2005087508.tif 000007
【図６】
2005087508.tif 000008
【図７】
2005087508.tif 000009